(57)【要約】【課題】ボールと保持器のポケットとの間における潤滑性を向上させ、また、ボールに傷が付くことを防ぐ。【解決手段】内輪１と外輪２の間で複数のボール３が保持されるポケット５を有する冠型の転がり玉軸受用保持器の製作方法において、ポケット用凹部８が設けられた円板形素材７の外周部が絞り加工により起こされ、周方向にポケット用凹部８を有する環状部材９が形成される。この環状部材９が軸方向に移動され、そのポケット用凹部８の周縁部を、ボール３よりも小径のボール状冶具１０で押圧し、径方向外向きの球面状の凹面壁６を周縁部に形成したポケット５が設けられる。このポケット５にボール３が組み込まれると、ボール３が凹面壁６の外側周縁１２より内側部分の接触部１４に当たり、ボール３と凹面壁６の外側周縁１２との間にすき間１５が形成される。【選択図】図１
2007078078.tif 000002
【特許請求の範囲】
【請求項１】
環状に形成された保持器本体の周方向に所定間隔をおいて、軸方向同じ向きに開放した複数のポケット（５）を設け、このポケット（５）の周縁部の全周に径方向外向きに隆起する球面状の凹面壁（６）を形成し、前記各ポケット（５）にボール（３）を前記凹面壁（６）に接触させて保持する転がり玉軸受用保持器において、
上記凹面壁（６）の全周にわたってその外側周縁（１２）よりも内側部分に、上記ボール（３）との接触部（１４）を設け、前記外側周縁（１２）と前記ボール（３）との間にすき間（１５）を設けたことを特徴とする転がり玉軸受用保持器。
【請求項２】
上記ポケット（５）の開放側両端部に周方向に広がるテーパー部（１６、１６）をそれぞれ設け、上記ボール（３）を、前記各テーパー部（１６、１６）の上記接触部（１４）と、上記凹面壁（６）の軸方向の底部（１３）の上記接触部（１４）との３箇所で接触させたことを特徴とする請求項１に記載の転がり玉軸受用保持器。
【請求項３】
円板形素材（７）の周方向に所定間隔をおいて複数のポケット用凹部（８）を設け、その円板形素材（７）の前記ポケット用凹部（８）を含む外周部を絞り加工により起こし、前記円板形素材（７）の中央部を打ち抜いて環状部材（９）を形成し、この環状部材（９）の前記ポケット用凹部（８）の周縁部を、ボール状冶具（１０）で押圧して、径方向外向きに隆起する球面状の凹面壁（６）を形成し、この凹面壁（６）を、周縁部の全周に形成したポケット（５）を設けた転がり玉軸受用保持器の製作方法において、
上記ボール状冶具（１０）は、その外径が上記ボール（３）の外径よりも小さいものであり、前記ポケット用凹部（８）の周縁部を、前記ボール状冶具（１０）により軸方向に押圧することを特徴とする転がり玉軸受用保持器の製作方法。
【発明の詳細な説明】
【技術分野】
【０００１】
この発明は、電磁クラッチ等の各種機械装置に組み込まれる転がり玉軸受に使用される保持器およびその製作方法に関する。
【背景技術】
【０００２】
従来から、転がり玉軸受において、外輪と内輪の間に配置される複数のボールを、周方向に所定間隔をおいて保持するために冠型の保持器が使用されている。この冠型の保持器は、環状に形成されたものであり、その周方向に所定間隔をおいて、ボールを保持するためのポケットが複数個設けられる。これらのポケットは、軸方向同じ向きに開放し、その周縁部の全周に径方向外向きの球面状に隆起する凹面壁が形成され、前記ボールをこの凹面壁に接触させて保持するものである。
【０００３】
上記保持器の製作方法は、図６に示すように、円板形素材３１の周方向に所定間隔をおいて、複数のポケット用凹部３２が設けられ、この円板形素材３１の前記ポケット用凹部３２を含む外周部が絞り加工により起こされ、前記円板形素材３１の中央部を打ち抜いて環状部材３３が製作される。この環状部材３３のポケット用凹部３２の周縁部が、径方向外向きにボール状冶具により押圧され、径方向外向きに隆起する球面状の凹面壁３４が形成され、周縁部の全周にわたって前記凹面壁３４を有するポケット３５が設けられた保持器３０が形成される。
【０００４】
これにより、円板形素材３１の厚みを、そのままポケット３５周縁部の凹面壁３４の厚みとして形成するため、ボールの支持力を十分に得られるとともに、磨耗に対する耐久性を向上させることができる（特許文献１  参照）。
【０００５】
【特許文献１】特開２００４−１６２７９４号公報
【０００６】
上記保持器３０は、上記ポケット３５を製作する際に、実際に使用される上記ボール３６と同等またはそれ以上の径を持つボール状冶具により、上記環状部材３３のポケット用凹部３２を径方向外向きに押圧していた。このため、前記保持器３０は、図７に示すように、ボール３６を組み込むと、このボール３６がポケット３５の凹面壁３４の外側周縁３７で接触することとなる。これにより、この外側周縁３７によりボール３６表面の潤滑剤が掻き取られるので、前記ボール３６と保持器３０のポケット３５との間で十分な潤滑性を得ることができないという問題があった。
【０００７】
また、上記ボール３６が上記凹面壁３４の外側周縁３７と接触するため、ボール３６に傷が付くという問題もあった。
【発明の開示】
【発明が解決しようとする課題】
【０００８】
そこで、この発明は、ボールと保持器のポケットとの間における潤滑性を向上させ、また、ボールに傷が付くことを防ぐことを課題とする。
【課題を解決するための手段】
【０００９】
上記の課題を解決するために、この発明は、ボールがポケットの凹面壁の外側周縁の内側部分で接触するようにしたのである。
【００１０】
このようにすると、保持器のポケットにボールを組み込んだ際に、ボール表面の潤滑剤が、凹面壁の外側周縁により掻き取られることがなくなり、また、ボールとポケットの凹面壁との間の接触面積が小さくなるため、潤滑性が向上するとともに、保持器の寿命を延ばすことができる。
【００１１】
また、保持器のポケットに組み込んだボールが、ポケットの凹面壁の外側周縁と接触しないため、ボールに傷が付くことを防ぐことができる。
【００１２】
具体的には、環状に形成された保持器本体の周方向に所定間隔をおいて、軸方向同じ向きに開放した複数のポケットを設け、このポケットの周縁部の全周に径方向外向きに隆起する球面状の凹面壁を形成し、前記各ポケットにボールを前記凹面壁に接触させて保持する転がり玉軸受用保持器において、前記凹面壁の全周にわたってその外側周縁よりも内側部分に、前記ボールとの接触部を設け、前記外側周縁と前記ボールとの間にすき間を設けた構成としたのである。
【００１３】
この構成において、上記ポケットの開放側両端部に周方向に広がるテーパー部をそれぞれ設け、前記ボールを、前記各テーパー部の上記接触部と、前記凹面壁の軸方向の底部の上記接触部との３箇所で接触させた構成を採用すると、保持器に組み込んだボールとポケットの凹面壁との接触面積がさらに小さくなり、潤滑性が向上するとともに回転時のトルクを小さくすることができる。
【００１４】
また、この転がり玉軸受用保持器の製作方法に関する発明として、保持器のポケットを製作する際に、実際に使用されるボールよりも小径のボール状冶具で、環状部材のポケット用凹部の周縁部を軸方向に押圧するようにしたのである。
【００１５】
このようにすると、上記環状部材のポケット用凹部の周縁部が外向きに塑性変形し、周縁部の全周にわたり、ボール用冶具の径と同じ内径の凹面壁が形成されたポケットが設けられる。このポケットにボールを組み込むと、ボールの外径がポケットの凹面壁の内径よりも大きいため、ボールがポケットの凹面壁の外側周縁より内側部分の接触部に当たり、ポケットの凹面壁の外側周縁とボールとの間にすき間が設けられる。
【００１６】
具体的には、円板形素材の周方向に所定間隔をおいて複数のポケット用凹部を設け、その円板形素材の前記ポケット用凹部を含む外周部を絞り加工により起こし、前記円板形素材の中央部を打ち抜いて環状部材を形成し、この環状部材の前記ポケット用凹部の周縁部を、ボール状冶具で押圧して、径方向外向きに隆起する球面状の凹面壁を形成し、この凹面壁を、周縁部の全周にわたって形成したポケットを設けた転がり玉軸受用保持器の製作方法において、前記ボール状冶具は、その外径が前記ボールの外径よりも小さいものであり、前記ポケット用凹部の周縁部を、前記ボール状冶具により軸方向に押圧する構成としたのである。
【発明の効果】
【００１７】
この発明は、以上のように構成したのでボールと保持器のポケットとの間における潤滑性を向上させることができる。
【００１８】
また、保持器のポケットに組み込んだボールが、ポケットの凹面壁の外側周縁と接触しないため、ボールに傷が付くことを防ぐことができる。
【発明を実施するための最良の形態】
【００１９】
以下、この発明の実施形態を添付図面図１〜図５に基づいて説明する。
この発明の一実施形態の転がり玉軸受は、図１（ａ）に示すように、内輪１と、外輪２と、この内輪１と外輪２との間に複数個組み込まれるボール３と、このボール３を周方向に所定間隔をおいて保持する冠型の保持器４とから構成される。なお、上記実施形態の転がり玉軸受は、図示するような複列アンギュラ玉軸受に限定されるものでなく、転がり玉軸受であればよく、内輪１、外輪２、ボール３は、この発明の範囲内で任意に設計可能である。
【００２０】
上記保持器４は、図１（ｂ）に示すように、環状に形成された保持器本体に、その周方向に所定間隔をおいて複数のポケット５が設けられ、この各ポケット５が軸方向同じ側に開放したものである。
【００２１】
上記各ポケット５は、その周縁部の全周にわたって径方向外向きに隆起する球面状の凹面壁６が形成され、前記ポケット５の開放側両端部に、軸方向外向きにテーパー部１６がそれぞれ設けられる。
【００２２】
この一実施形態の転がり玉軸受の保持器４の製作方法は、図２（ａ）に示すように、まず、円板形素材７の周方向に所定間隔をおいて複数のポケット用凹部８が設けられる。このポケット用凹部８は、円弧部分と、その円弧部分の両端から広がるガイド用テーパー部１１、１１とから形成される。
【００２３】
次に、図２（ｂ）に示すように、上記ポケット用凹部８が設けられた円板形素材７の前記ポケット用凹部８を含む外周部（同図（ａ）の一点鎖線の外側部分）を、絞り装置（図示省略）により絞り加工により起こし、円板形素材７の中央部を打ち抜いて環状部材９を製作する。
【００２４】
上記環状部材９を、図３（ａ）（ｂ）に示すように、軸方向に移動させ、そのポケット用凹部８の各ガイド用テーパー部１１、１１を、固定したボール状冶具１０に押し当てる。
【００２５】
さらに、上記環状部材９を軸方向に移動させると、上記ボール状冶具１０により、ポケット用凹部８のガイド用テーパー部１１が環状部材９の周方向に押し広げられるとともに、ポケット用凹部８の周縁部が全周にわたって環状部材９の径方向外向きに押圧される（図４（ａ）参照）。
【００２６】
前記ボール状冶具１０は、その径Ｄ２が上記ボールの径Ｄ１よりも小さいものであり、図４（ｂ）に示すように、ポケット用凹部８の周縁部がその表面に沿って外向きに塑性変形し、球面状の凹面壁６が上記環状部材９の径方向に隆起して形成される。
【００２７】
図４（ｃ）に示すように、上記ボール状冶具１０がポケット用凹部８から取り出されると、径方向外向きに隆起する球面状の凹面壁６が周縁部に形成されたポケット５が設けられる。このポケット５は、軸方向の同じ側が開放しその開放側両端にテーパー部１６、１６が設けられたものであり、上記凹面壁６に囲まれた部分がだ円に形成される。
【００２８】
このポケット５の凹面壁６に囲まれた部分がだ円に形成されるのは、前記ボール状冶具１０がポケット用凹部８から取り出されると、球面状の凹面壁６のかかる圧力が取り除かれ、この凹面壁６の変形が弾性的に一部回復するからである。これにより、前記凹面壁６の開放側両端部の間隔が、ボール状冶具１０による押圧時での間隔よりも小さくなるからである。
【００２９】
上記ポケット５の凹面壁６は、図５（ｂ）に示すように、その内径Ｄ２がボール３の径Ｄ１よりも小さいため、このポケット５にボール３が組み込まれると、ボール３がポケット５の凹面壁６の外側周縁１２よりも内側の接触部１４に当たる。この接触部１４でボール３と凹面壁６とが接触するので、ボール３と凹面壁６の外側周縁１２との間にすき間１５が形成される。
【００３０】
また、上記ポケット５は、その凹面壁６に囲まれた形状がだ円となっているので、このポケット５に上記ボール３が組み込まれると、図５（ａ）に示すように、ボール３がポケット５の開放側両端部に設けられた各テーパー部１６の接触部１４と、凹面壁６の軸方向底部１３の接触部１４との３箇所で接触する。
【００３１】
このようにして、上記ポケット５が周方向の複数箇所に設けられた転がり玉軸受用の保持器４が作成される。
【００３２】
この転がり玉軸受用保持器４にボール３を複数個保持させると、図５（ａ）（ｂ）に示すように、ボール３は、ポケット５の凹面壁６の３箇所で保持され、球面状の凹面壁６の内側の接触部１４で接触する。このため、ボール３と凹面壁６との接触面積が小さくなるとともに、ボール３表面の潤滑剤がポケット５の凹面壁６の外側周縁１２により掻き取られることがなくなるので、潤滑性が向上して、保持器４の寿命を延ばすことができる。
【００３３】
また、ボール３が、凹面壁６の内側の接触部１４で接触するので、ボール３表面に凹面壁６の外側周縁１２との接触によって傷が付くことを防止することができる。
【図面の簡単な説明】
【００３４】
【図１】（ａ）実施形態の転がり軸受用保持器の使用状態を示す断面図、（ｂ）同上の転がり軸受用保持器を示す斜視図
【図２】（ａ）同上の製作前の円板形素材を示す平面図、（ｂ）同上の製作前の環状部材を示す内側面図
【図３】（ａ）同上の環状部材のボール状冶具圧入前の状態を示す内側面図、（ｂ）Ａ−Ａ線における一部断面図
【図４】（ａ）同上の環状部材のボール状冶具圧入時の状態を示す内側面図、（ｂ）Ｂ−Ｂ線における一部断面図、（ｃ）同上の環状部材のボール状冶具を抜いた状態を示す内側面図
【図５】（ａ）同上のボールを保持した状態を示す内側面図、（ｂ）同上のボールを保持した状態を示す断面図
【図６】（ａ）従来の転がり軸受用保持器の製作前の円板形素材を示す平面図、（ｂ）従来の環状部材を示す内側面図、（ｃ）従来の転がり軸受用保持器を示す内側面図
【図７】従来のボールを保持した状態を示す断面図
【符号の説明】
【００３５】
１  内輪
２  外輪
３  ボール
４  保持器
５  ポケット
６  凹面壁
７  円板形素材
８  ポケット用凹部
９  環状部材
１０  ボール状冶具
１１  ガイド用テーパー部
１２  外側周縁
１３  底部
１４  接触部
１５  すき間
１６  テーパー部
３０  保持器
３１  円板形素材
３２  ポケット用凹部
３３  環状部材
３４  凹面壁
３５  ポケット
３６  ボール
３７  外側周縁
【図１】
2007078078.tif 000003
【図２】
2007078078.tif 000004
【図３】
2007078078.tif 000005
【図４】
2007078078.tif 000006
【図５】
2007078078.tif 000007
【図６】
2007078078.tif 000008
【図７】
2007078078.tif 000009